(57)【要約】      （修正有）【課題】取り付け誤差や温度変化による基板の膨張又は収縮による誤差変位を吸収することができ、且つカード基板に対し十分な保持力を維持することができ、更に取り付け時の操作性に優れたフローティング機構付きカードエッジコネクタの提供。【解決手段】基板収容部にカード基板Ｂを保持させた状態で、カード基板Ｂとプリント基板Ａとを相対移動可能とし、且つコンタクト２を介してプリント基板とカード基板とを電気的に接続されるようにしたカードエッジコネクタにおいて、基板収容部には、ハウジング部材４の上面に開口され、上面側よりカード基板Ｂを基板収容部内に導入することができる基板導入部が形成され、ハウジング部材４は、基板収容部の内側面より突出し、カード基板Ｂの表裏方向の移動を規制するロック部材３５と、カード基板Ｂの前後方向の移動を規制する抜け止め規制部３３とを備えている。【選択図】図１
2012059654.tif 000002
【特許請求の範囲】
【請求項１】
カード基板の先端部が収容される基板収容部が前面に開口されたハウジング部材と、該ハウジング部材と相対移動可能に配置された支持部材と、前記基板収容部内に突出し、前記カード基板の端子部と弾性的に接触する弾性接触部を有する複数のコンタクトとを備え、
前記コンタクトは、前記ハウジング部材に支持された前記弾性接触部と、前記支持部材に支持された基板接続部と、前記弾性接触部と基板接続部とを連結する弾性連結片部とを備え、
前記基板収容部内に収容された前記カード基板と前記基板接続部が接続された基板とを相対移動可能とし、且つ前記コンタクトを介して前記両基板が電気的に接続されるようにしてなるフローティング機構付きカードエッジコネクタにおいて、
前記ハウジング部材には、前記カード基板の裏面と前記基板収容部内底面とが互いに対向し、且つ前記前面開口より前記カード基板の後端側が導出される向きで前記カード基板を上面側より前記基板収容部内に導入できる基板導入部が形成されているとともに、前記基板収容部内に突出し、前記カード基板の上向き抜け出し方向の移動を規制するロック部材と、前記カード基板と互いに係合し、該カード基板の前後方向の移動を規制する抜け止め規制部とを備えていることを特徴としてなるフローティング機構付きカードエッジコネクタ。
【請求項２】
前記支持部材は、プリント基板に固定され、前記基板接続部は、前記プリント基板に形成された接続パターンに接続されていることを特徴としてなる請求項１に記載のフローティング機構付きカードエッジコネクタ。
【請求項３】
前記支持部材には、前記ハウジング部材と同形状の別のハウジング部材を使用し、該両ハウジング部材は、互いに背面側を対向させて配置され、
前記基板接続部は、前記別のハウジング部材の基板収容部内に突出し、カード基板の端子部と弾性的に接触する弾性接触部である請求項１に記載のフローティング機構付きコネクタ。
【請求項４】
前記抜け止め規制部は、前記基板収容部の前面開口縁部より内向きに突設され、前記カード基板の側縁に形成された係合凹部と互いに係合する突条部であることを特徴としてなる請求項１、２又は３に記載のフローティング機構付きカードエッジコネクタ。
【請求項５】
請求項１〜３又は４に記載のフローティング機構付きカードエッジコネクタを用いた基板間接続構造であって、
両端に基板収容部に収容されるカードエッジプラグ部を有するカード基板を使用するとともに、複数の前記カードエッジコネクタを前記ハウジング部材の基板収容部前面開口側が互いに対向するように配置し、互いに対向する各基板収容部にそれぞれ前記カードエッジプラグ部を収容させ、前記カード基板を介して前記カードエッジコネクタ間を接続するフローティング機構付きカードエッジコネクタを用いた基板間接続構造。
【発明の詳細な説明】
【技術分野】
【０００１】
本発明は、取付けの際に生じる位置ずれや温度変化による基板の膨張又は収縮による変位を吸収することができるフローティング機構付きカードエッジコネクタ及び該カードエッジコネクタを用いた基板間接続構造に関する。
【背景技術】
【０００２】
従来、この種のカードエッジコネクタにおいては、プリント基板に固定されたコネクタハウジングにカード基板の先端部を挿し込むことにより、コネクタハウジングに支持されたコンタクトとカード基板に形成された端子部とが互いに接触され、プリント基板とカード基板とを電気的に接続させるものが知られている（例えば、特許文献１）。
【０００３】
しかし、このようなカードエッジコネクタでは、プリント基板に対するコネクタの固定位置とカード基板の位置との間にずれが生じている場合や、温度変化により基板が膨張又は収縮することにより変位が生じている場合には、カード基板とコネクタハウジングとの間の接続が好適に行われないという問題がある。
【０００４】
そこで、プリント基板に対して移動可能に配置されたハウジング部材を備え、このハウジング部材にカード基板を挿入することにより、カード基板とプリント基板とを電気的に接続させるとともにプリント基板に対するハウジング部材の移動を許容し、コネクタをプリント基板に取り付けた際に生じる位置のずれや基板の膨張や収縮による変位を吸収することができるようにしたフローティング機構付きのものが提供されている（例えば、特許文献２）。
【０００５】
このフローティング機構付きカードエッジコネクタは、カード基板の端部が収容される基板収容部が前面に開口されたハウジング部材と、プリント基板に固定された支持部材と、基板収容部内に突出し、カード基板の端子部と弾性的に接触する弾性接触部を有する複数のコンタクトとを備えて構成されている。
【０００６】
このコンタクトは、プリント基板に接続される基板接続部と、ハウジング部材に支持された弾性接触部と、弾性接触部と基板接続部とを連結する弾性連結片部とを備えており、この弾性連結片部がハウジング部材と支持部材との間の相対移動変位に応じて弾性的に変形することにより、基板収容部にカード基板を保持させた状態で、カード基板とプリント基板とを相対移動可能とし、且つコンタクトを介してプリント基板とカード基板とを電気的に接続させるようになっている。
【先行技術文献】
【特許文献】
【０００７】
【特許文献１】特開２００４−２１３９１８号公報
【特許文献２】特開２００７−１６５１２９号公報
【発明の概要】
【発明が解決しようとする課題】
【０００８】
しかしながら、上述した従来のフローティング機構付きコネクタは、カード基板を基板収容部に対し前面の開口部より挿入するように構成され、且つコンタクトの接触圧によりカード基板をコネクタに保持させるものであるため、極数が少なく、カード基板の挿入される部分の面積が小さなものでは前後方向で十分な保持力を確保できず、コネクタを基板に取り付けた際に生じる位置のずれや基板の膨張や収縮による変位を十分に吸収することができない虞がある。
【０００９】
また、一対のカードエッジコネクタソケットを互いに対向した配置とし、両ソケット間をカード基板により接続させる構造にあっては、両ソケット間の距離はカード基板の長さより狭くなければならず、カード基板をコネクタハウジングに対し挿抜するには、フローティング機構の移動量を目一杯に使用するか、或いはカード基板の途中を弛ませる等しなければならず、特に硬い材質のカード基板を使用する場合には、挿入又は抜き出し作業における操作性に難があった。
【００１０】
更に、コンタクトに対してカード基板の挿抜方向の摺動が繰り返されることによってコンタクトが摩耗し、コンタクトの接触圧が低下する虞があるという問題があった。
【００１１】
本発明は、このような従来の問題に鑑み、コネクタを基板に取り付けた際に生じる誤差や温度変化による基板の膨張又は収縮による誤差変位を吸収することができ、且つカード基板に対し十分な保持力を維持することができ、更に取り付け時の操作性に優れたフローティング機構付きカードエッジコネクタ及び該カードエッジコネクタを用いた基板間接続構造の提供を目的としてなされたものである。
【課題を解決するための手段】
【００１２】
上述の如き従来の問題を解決し、所期の目的を達成するための請求項1に記載のフローティング機構付きカードエッジコネクタの特徴は、カード基板の先端部が収容される基板収容部が前面に開口されたハウジング部材と、該ハウジング部材と相対移動可能に配置された支持部材と、前記基板収容部内に突出し、前記カード基板の端子部と弾性的に接触する弾性接触部を有する複数のコンタクトとを備え、前記コンタクトは、前記ハウジング部材に支持された前記弾性接触部と、前記支持部材に支持された基板接続部と、前記弾性接触部と基板接続部とを連結する弾性連結片部とを備え、前記基板収容部内に収容された前記カード基板と前記基板接続部が接続された基板とを相対移動可能とし、且つ前記コンタクトを介して前記両基板が電気的に接続されるようにしてなるフローティング機構付きカードエッジコネクタにおいて、前記ハウジング部材には、前記カード基板の裏面と前記基板収容部内底面とが互いに対向し、且つ前記前面開口より前記カード基板の後端側が導出される向きで前記カード基板を上面側より前記基板収容部内に導入できる基板導入部が形成されているとともに、前記基板収容部内に突出し、前記カード基板の上向き抜け出し方向の移動を規制するロック部材と、前記カード基板と互いに係合し、該カード基板の前後方向の移動を規制する抜け止め規制部とを備えていることにある。
【００１３】
請求項２に記載の発明の特徴は、請求項１の構成に加え、前記支持部材は、プリント基板に固定され、前記基板接続部は、前記プリント基板に形成された接続パターンに接続されていることにある。
【００１４】
請求項３に記載の発明の特徴は、請求項１の構成に加え、前記支持部材には、前記ハウジング部材と同形状の別のハウジング部材を使用し、該両ハウジング部材は、互いに背面側を対向させて配置され、前記基板接続部は、前記別のハウジング部材の基板収容部内に突出し、カード基板の端子部と弾性的に接触する弾性接触部であることにある。
【００１５】
また、請求項４に記載の発明の特徴は、請求項１、２又は３の構成に加え、前記抜け止め規制部は、前記基板収容部の前面開口縁部より内向きに突設され、前記カード基板の側縁に形成された係合凹部と互いに係合する突条部であることにある。
【００１６】
請求項５に記載のフローティング機構付きカードエッジコネクタを用いた基板間接続構造の特徴は、請求項１〜４又は５に記載のフローティング機構付きカードエッジコネクタを用いた基板間接続構造であって、両端に基板収容部に収容されるカードエッジプラグ部を有するカード基板を使用するとともに、複数の前記カードエッジコネクタを前記ハウジング部材の基板収容部前面開口側が互いに対向するように配置し、互いに対向する各基板収容部にそれぞれ前記カードエッジプラグ部を収容させ、前記カード基板を介して前記カードエッジコネクタ間を接続することにある。
【発明の効果】
【００１７】
本発明に係るカードエッジコネクタは、上述したように、カード基板の先端部が収容される基板収容部が前面に開口されたハウジング部材と、該ハウジング部材と相対移動可能に配置された支持部材と、前記基板収容部内に突出し、前記カード基板の端子部と弾性的に接触する弾性接触部を有する複数のコンタクトとを備え、前記コンタクトは、前記ハウジング部材に支持された前記弾性接触部と、前記支持部材に支持された基板接続部と、前記弾性接触部と基板接続部とを連結する弾性連結片部とを備え、前記基板収容部内に収容された前記カード基板と前記基板接続部が接続された基板とを相対移動可能とし、且つ前記コンタクトを介して前記両基板が電気的に接続されるようにしたことにより、取り付けの際に生じる誤差や温度変化による基板の膨張又は収縮による誤差変位を吸収し好適な接続状態を維持することができる。
【００１８】
また、前記ハウジング部材には、前記カード基板の裏面と前記基板収容部内底面とが互いに対向し、且つ前記前面開口より前記カード基板の後端側が導出される向きで前記カード基板を上面側より前記基板収容部内に導入できる基板導入部が形成されているとともに、前記基板収容部内に突出し、前記カード基板の上向き抜け出し方向の移動を規制するロック部材と、前記カード基板と互いに係合し、該カード基板の前後方向の移動を規制する抜け止め規制部とを備えていることにより、挿入される部分の面積が小さい場合であっても、カード基板に対し十分な保持力を維持することができ、カード基板を嵌め込む際の操作性を向上させることができる。更に、コンタクトの摩耗を軽減することができる。
【００１９】
また、本発明において、前記支持部材は、プリント基板に固定され、前記基板接続部は、前記プリント基板に形成された接続パターンに接続されていることにより、ハウジング部材をプリント基板に対し相対移動可能とすることができる。
【００２０】
また、本発明において、前記支持部材には、前記ハウジング部材と同形状の別のハウジング部材を使用し、該両ハウジング部材は、互いに背面側を対向させて配置され、前記基板接続部は、前記別のハウジング部材の基板収容部内に突出し、カード基板の端子部と弾性的に接触する弾性接触部であることにより、カード基板相互間を好適に接続することができるとともに、取り付けの際に生じる誤差や温度変化による基板の膨張又は収縮による誤差変位を吸収することができる。
【００２１】
更に本発明において、前記抜け止め規制部は、前記基板収容部の前面開口縁部より内向きに突設され、前記カード基板の側縁に形成された係合凹部と互いに係合する突条部であることにより、カード基板の前後方向の移動を好適に規制することができ、位置ずれ等による接触不良を防止することができる。
【００２２】
また、本発明に係るフローティング機構付きカードエッジコネクタを用いた基板間接続構造において、両端に基板収容部に収容されるカードエッジプラグ部を有するカード基板を使用するとともに、複数の前記カードエッジコネクタを前記ハウジング部材の基板収容部前面開口側が互いに対向するように配置し、互いに対向する各基板収容部にそれぞれ前記カードエッジプラグ部を収容させ、前記カード基板を介して前記カードエッジコネクタ間を接続することにより、プリント基板間の距離がカード基板長さより短い場合であってもカード基板の途中部分を弛ませることなく、カード基板を介して両プリント基板間を容易に接続することができる。
【図面の簡単な説明】
【００２３】
【図１】本願発明に係るフローティング機構付きカードエッジコネクタの一例を示す斜視図である。
【図２】同上の縦断面図である。
【図３】同上の分解斜視図である。
【図４】同上の背面側から見た分解斜視図である。
【図５】図１中のプリント基板を示す平面図である。
【図６】図１中のカード基板を示す底面図である。
【図７】（ａ）は図１中の支持部材を示す平面図、（ｂ）は同底面図、（ｃ）は同Ａ−Ａ線断面図である。
【図８】（ａ）は図１中のハウジング部材を示す平面図、（ｂ）は同正面図、（ｃ）は同左側面図である。
【図９】（ａ）は図１中のコンタクトを示す拡大斜視図、（ｂ）は同背面側から見た斜視図、（ｃ）は同右側面図である。
【図１０】本発明に係るフローティング機構付きカードエッジコネクタを用いた基板間接続構造の一例を示す斜視図である。
【図１１】本発明に係るフローティング機構付きカードエッジコネクタの他の実施例を示す斜視図である。
【図１２】同上の縦断面図である。
【図１３】同上の分解斜視図である。
【図１４】（ａ）は図１０中のコンタクトを示す拡大斜視図、（ｂ）は同側面図である。
【発明を実施するための形態】
【００２４】
次に、本発明に係るフローティング機構付きカードエッジコネクタの実施の態様を、図面に示した実施例に基づいて説明する。尚、図中符号ＡはＰＣＢ等からなるプリント基板、ＢはＰＣＢ等からなるカード基板である。
【００２５】
このフローティング機構付きカードエッジコネクタは、支持部材３と、ハウジング部材４と、支持部材３とハウジング部材４とに跨って支持された複数のコンタクト２，２...とを備え、ハウジング部材４は、プリント基板Ａに固定された支持部材３に対し相対移動可能に配置されている。
【００２６】
カードエッジコネクタは、カード基板Ｂが接続されたハウジング部材４が支持部材３に対し相対移動することができるとともに、当該相対移動に応じてコンタクト２，２...が変形することにより、プリント基板Ａとカード基板Ｂとをコンタクト２を介して電気的に接続させるとともに、コネクタを基板に取り付けた際に生じる誤差や温度変化による基板の膨張又は収縮による誤差変位を吸収することができるようになっている。
【００２７】
支持部材３は、図７に示すように、後側壁部５と、両側壁部６，６とを備え、絶縁性合成樹脂材をもって前方が開いた上面視コ字状に形成され、このコ字状内にハウジング部材４が移動可能に収容される。
【００２８】
尚、本明細書においては、「前」は後述する基板収容部開口側をいい、「後」は基板収容部奥側をいうものとする。
【００２９】
後側壁部５は、横長の矩形状に形成され、その両側部より前方に向けて立ち上げた形状に側壁部６，６が形成されている。
【００３０】
また、後側壁部５の後背部には、コンタクト２の支持部材側固定片部７が収容される上下方向に向けた複数の支持部材側コンタクト収容溝８，８...が横方向に間隔をおいて形成され、後側壁部５の上面部には、支持部材側コンタクト収容溝８の連続配置に前後方向に向けたコンタクト挿通溝９が形成されている。
【００３１】
側壁部６，６は、前後方向に長い矩形状に形成され、外側前端部にホールドダウン１０を固定するためのホールドダウン収容部１１が形成されている。
【００３２】
ホールドダウン１０は、下縁より外向きに折り曲げた形状の固定半田部１０ａを備えて金属製板材をもって一体に形成され、このホールドダウン１０の両側部をホールドダウン収容部１１の両側縁に形成された圧入溝１２に圧入し、ホールドダウン１０両側部下縁と圧入溝１２底部とを係止させることにより側壁部６に固定される。
【００３３】
固定半田部１０ａは、側壁部６に固定された状態で側壁部の下面に露出し、この固定半田部１０ａを図５に示すプリント基板Ａの固定用パターン１３に半田付けすることにより支持部材３をプリント基板Ａに固定する。
【００３４】
また、側壁部６の内側面部には、ハウジング部材４の両側部に形成されたスライド支持部材１４が前後方向に移動可能に収容される前後方向に向けたスライド凹部１５が形成されている。尚、スライド支持部材１４の上下方向高さに対し、スライド凹部１５の上下方向高さの方が長く形成され、互いに対向する面の間に所定の間隙が形成されている。
【００３５】
ハウジング部材４は、図８に示すように、底板部２０と、両側壁部２１，２１と、後壁部２２とを備え、所謂ミッドマウント方式によりプリント基板Ａに支持され、図５に示すプリント基板の前縁部に形成された切欠き部１９に嵌り込み、略上半部分のみが基板上に配置されるようになっている。
【００３６】
また、ハウジング部材４には、両側壁部２１，２１及び後壁部２２に前面以外囲まれた配置、即ち前面に開口されて基板収容部２３が形成され、この基板収容部２３にカード基板Ｂの先端部がカード基板Ｂの裏面と基板収容部２３の内底面とが互いに対向するように収容される。
【００３７】
基板収容部２３の上面側には、基板収容部２３と連続してハウジング側ハウジングの上面に開口した基板導入部２４が形成され、カード基板Ｂの裏面と基板収容部２３の内底面とが互いに対向し、且つ前面開口よりカード基板Ｂの後端側が導出される向きで上面側よりカード基板Ｂの先端部を基板収容部２３に導入することができるようになっている。
【００３８】
底板部２０は、平板状に形成され、前後方向に向けた接触部逃げ溝２５，２５...が横方向に間隔をおいて複数形成されている。
【００３９】
後壁部２２は、底板部２０の後縁より上向きに立ち上げた形状に形成され、前面側には、コンタクト２のハウジング側固定片部２６が収容される上下方向に向けた複数のハウジング側コンタクト収容溝２7，２７...が横方向に間隔を隔てて並べて形成され、後壁部２２の上面部には、ハウジング側コンタクト収容溝２７の連続配置に前後方向に向けたコンタクト挿通溝２８が形成されている。
【００４０】
また、後壁部２２には、後背面より後向きに突出した当て止め凸部２９が形成され、ハウジング部材４が押し込み方向に移動する際に、当該当て止め凸部２９の後端面が支持部材３の後側壁部５前面に当接し、ハウジング部材４が支持部材３に対し当て止めされるようになっている。
【００４１】
また、当て止め凸部２９の後背面には、コンタクト挿通溝２８と連続配置に上下方向に向けた逃げ溝３０，３０...が形成されており、コンタクト２の弾性連結片部３１がこの逃げ溝３０に逃げ込み両ハウジング部３，４間に挟まれて潰されないようになっている。
【００４２】
側壁部２１，２１は、それぞれ底板部２０の側縁より上向きに立ち上げた形状に形成され、後壁部２２とともに上面視コ字状をなしている。尚、ハウジング部材４の側壁部２１，２１の外側面と、支持部材３の側壁６内側面との間には所定の間隙が形成され、左右方向の移動が許容されるようになっている。
【００４３】
両側壁部２１，２１には、外側面上部に外向きに突出した支持用段部３２が形成され、この支持用段部３２の下縁がプリント基板Ａの前縁部に形成された切欠き凹部１９の側縁上に当接し、ハウジング部材４がプリント基板Ａにスライド自在に支持される。
【００４４】
この支持用段部３２の後部下端には、外向きにスライド支持部材１４が突設され、このスライド支持部材１４が支持部材３のスライド凹部１５の内側面とプリント基板Ａ表面との間に挟み込まれ、ハウジング部材４が支持部材３にスライド可能に保持される。
【００４５】
また、側壁部２１，２１の前面開口縁部には、カード基板Ｂの前後方向の移動を規制する抜け止め規制部が設けられている。尚、符合３３は抜け止め規制部を構成する突条部である。
【００４６】
この突条部３３は、内側に向けた凸が上下方向に連続した形状に形成され、カード基板Ｂの側縁に形成された係合凹部３４と互いに係合して前後方向の移動を規制するとともに、カード基板Ｂ導入時にはガイドとして機能するようになっている。
【００４７】
更に、側壁部２１の内側部には、ロック部材３５を収容するロック部材収容部３６が形成されている。
【００４８】
ロック部材収容部３６は、上面及び内側が開口した凹溝状に形成され、下部には、側壁部の内外側面を貫通した回避孔３７が形成されている。
【００４９】
ロック部材３５は、基板収容部２３内に突出し、カード基板Ｂの上向きの移動を規制し、カード基板Ｂが基板収容部２３より抜け出すのを防止するようになっている。
【００５０】
ロック部材３５は、固定部３８、弾性支持部３９及び係止部４０を備えて構成され、金属板材を打ち抜き・折り曲げ加工することにより一体に形成されている。
【００５１】
固定部３８は、平板状に形成され、その両側部がロック部材収容部３６の内側縁に形成された圧入溝４１に圧入され、両側部下縁と圧入溝底部とを係止させることにより側壁部２１に固定される。
【００５２】
また、固定部３８には、背面側に突出した抜け止め係止片４２が形成され、この抜け止め係止片４２が側壁部２１に形成された係止凹部４３と互いに係合することにより固定部３８を側壁部２１に係止させる。
【００５３】
尚、抜け止め係止片４２は、下端を残して係止片を構成する部分の外形に沿って固定部３８に切れ目を入れて切り出し、先端側を外側に起こすことにより形成されている。
【００５４】
弾性支持部３９は、固定部３８の上縁より半弧状に折り曲げた形状に形成され、固定部３８とは反対側端に係止部４０が支持されている。
【００５５】
係止部４０は、弾性支持部３９の先端より斜め下向きに延長された形状の張り出し部４４と、張り出し部４４の下縁より水平方向外向き（固定部３８側向き）に折り曲げた形状の押さえ部４５と、押さえ部４５の他端より下向きに折り曲げた形状の側縁当接部４６とをもって構成されている。
【００５６】
このロック部材３５は、カード基板Ｂを上面の基板導入部２４より基板収容部２３内に導入する際に、カード基板Ｂの裏面で張り出し部４４表面が押圧されて弾性支持部３９を基端として外向きに押し遣られて押さえ部４５及び側縁当接部４６が回避孔３４に回避し、カード基板Ｂが所定位置まで嵌め込まれると弾性支持部３９のバネ性により基板収容部２３の内側面より突出し、押さえ部４５がカード基板Ｂの表面に係合される。
【００５７】
コンタクト２は、図９に示すように、導電性金属板材を打ち抜き・折り曲げ加工することにより一体に形成されており、ハウジング部材４に固定されるハウジング側固定片部２６と、支持部材３に固定される支持部材側固定片部７とを備え、両固定部７，２６間が弾性連結片部３１により連結されている。
【００５８】
ハウジング側固定片部２６は、矩形状に形成され、その側部がハウジング側コンタクト収容溝２７内側縁に形成された圧入溝５２に圧入され、該側部下縁が圧入溝５２内底面と互いに係合することによりハウジング部材４に固定される。
【００５９】
このハウジング側固定片部２６の下縁には、弾性接触部５３が支持されており、ハウジング側固定片部２６を介して弾性接触部５３がハウジング部材４に支持されるようになっている。
【００６０】
弾性接触部５３は、ハウジング側固定片部２６の下縁より前側に折り曲げた形状の前向き延長部５４と、前抜き延長部５４の先端よりやや斜め下向きに延長された弾性支持部５５と、弾性支持部５５の下縁より斜め上向きに折り曲げた形状の弾性接触片５６とをもって構成され、弾性支持片５５と弾性接触片５６とが一体にバネ性を発揮し、カード基板Ｂの端子部５７に対し弾性的に接触できるようになっている。
【００６１】
弾性接触片５６は、その先端部に接点部５６ａが形成され、ハウジング側固定片部２６を介してハウジング部材４に支持された際に基板収容部２３の底面より斜め上向きに立ち上がるように配置され、カード基板Ｂの下面に配置された端子部５７に接点部５６ａが弾性的に接触する。
【００６２】
一方、支持部材側固定片部７は、矩形状に形成され、その側部が支持部材側コンタクト保持溝８内縁に形成された圧入溝５８に圧入され、該側部下縁が圧入溝内底面と互いに係合することにより支持部材３に固定される。
【００６３】
支持部材側固定片部７の下縁には、基板接続部５９が支持されており、支持部材側固定片部７を介して基板接続部５９が支持部材３に支持されている。
【００６４】
基板接続部５９は、支持部材側固定片部７の下縁より後向きに折り曲げた形状に形成され、プリント基板Ａに形成された接続パターン６０，６０...に半田付けされるようになっている。
【００６５】
弾性連結片部３１は、支持部材側固定片部７の上縁より前向きに折り曲げた形状の支持部材側連結片６１と、ハウジング側固定片部２６の上縁より後向きに折り曲げた形状のハウジング側連結片６２とを弾性部６３で連結した構成となっている。
【００６６】
この弾性部６３は、両連結片６１，６２よりそれぞれ斜め下向きに延長してＶ字状に形成され、Ｖ字状部分が支持部材３の後側壁部５とハウジング部材４の後壁部２２との間に配置され、支持部材３とハウジング部材４との間の相対移動に応じて弾性変形できるようになっている。
【００６７】
このように構成されたフローティング機構付きカードエッジコネクタにカード基板Ｂを接続させるには、カード基板Ｂの係合凹部３４の位置を突条部３３の位置に合わせ、カード基板Ｂの端部を基板導入部２４より導入して基板収容部２３内に押し下げることで容易に接続させることができる。
【００６８】
このとき、カード基板Ｂの裏面によりロック部材３５の張り出し部４４が押され、弾性支持部３９を基点に外向きに押し遣られ、所定の位置まで押し下げるとロック部材３５が弾性により基板収容部２３内に突出するとともに、弾性接触部５３のバネ性によりカード基板Ｂは上向きに押圧されてカード基板Ｂの側縁がロック部材３５の押さえ部４５と互いに係合するようになっている。
【００６９】
また、このときカード基板Ｂは、側縁の係合凹部３４が抜け止め規制部を構成する突条部３３と互いに係合していることによりハウジング部材４とカード基板Ｂとの間で前後方向の移動が規制される。
【００７０】
即ち、コンタクト２の極数や収容部分の面積に関係なく十分な保持力をもってハウジングにカード基板Ｂを保持させることができる。
【００７１】
このように構成されたフローティング機構付きカードエッジコネクタは、プリント基板Ａに固定された支持部材３に対し、ハウジング部材４が相対移動可能に配置され、且つ両ハウジング部材３，４に跨って支持されたコンタクト２，２...の弾性連結片部３１が両ハウジング部材３，４の相対移動に応じて弾性変形するので、コネクタを基板に取り付けた際に生じる誤差や温度変化による基板の膨張又は収縮による誤差変位を吸収することができるようになっている。
【００７２】
また、このように構成されたフローティング機構付きカードエッジコネクタでは、上側からカード基板Ｂを導入する構造であるので、挿抜（前後）方向の摺動が伴わずコンタクト２の接点部及びカード基板Ｂの端子部の双方に摩耗が少なく、好適な接触圧を維持することができる。
【００７３】
尚、このフローティング機構付きコネクタを用いて、図１０に示すような基板間接続構造としてもよい。
【００７４】
この基板間接続構造では、両端に基板収容部２３に収容されるカードエッジプラグ部を有するカード基板Ｃを使用し、コネクタをハウジング部材４，４の前面側を互いに対向させた配置に設置し、両カードエッジコネクタ部をそれぞれ両ハウジング部材４，４の基板収容部２３，２３に収容させ、両コネクタ間をカード基板Ｃにより接続するようになっている。
【００７５】
尚、カードエッジプラグ部には、図６に示すカード基板Ｂと同様に、複数の端子部５７，５７...が備えられ、側縁には係合凹部３４，３４が形成されている。
【００７６】
このように構成された基板間接続構造では、カード基板Ｃの端部がそれぞれ基板導入部２４を通して上側より導入できる構造であるのでカード基板Ｃを容易に接続することができる。
【００７７】
即ち、前後方向で挿抜する構造のコネクタを使用した場合と異なり、カード基板Ｃのカードエッジプラグ部を両基板収容部２３，２３に収容する際に、フローティング機構の可能変位量を目一杯に使用したり、カード基板Ｃの途中を弛ませたりせずとも容易に基板収容部２３，２３にカード基板Ｃの両端を収容させることができる。
【００７８】
尚、上述の実施例では、支持部材３をプリント基板Ａに固定し、プリント基板Ａとカード基板Ｂとを接続するものについて説明したが、図１１〜図１４に示すように、支持部材にハウジング部材と同形状のものを使用し、カード基板Ｂとカード基板Ｂとの間を接続するようにしたものであってもよい。尚、上述の実施例と同様の構成には同一の符合を付して説明を省略する。
【００７９】
このフローティン機構付きカードエッジコネクタは、一対のハウジング部材７０，７０と、両ハウジング部材７０，７０に跨って支持される複数のコンタクト７１，７１...とを備え、カード基板Ｂ，Ｂをそれぞれ保持させた両ハウジング部材７０，７０を互いに相対移動可能とし、且つコンタクト７１，７１...を介して両カード基板Ｂ，Ｂを電気的に接続されるようになっている。
【００８０】
両ハウジング部材７０，７０は、互いに後背面側を対向させて配置され、互いにコンタクト７１，７１...を介して支持し合い、一方を支持部材として互いに移動できるようになっている。尚、本実施例においては、それぞれハウジング部材を基準に「前」は基板収容部開口側をいい、「後」は基板収容部奥側をいうものとする。
【００８１】
ハウジング部材７０は、上述した実施例のハウジング部材４とほぼ同様に構成されている。即ち、ハウジング部材７０は、底板部２０と、左右の側壁部２１，２１と、後壁部２２とを備え、両側壁部２１，２１及び後壁部２２に前面以外囲まれた配置、即ち前面に開口されて基板収容部２３が形成され、この基板収容部２３にカード基板Ｂの先端部が基板の裏面と基板収容部２３の内底面が互いに対向するように収容される。
【００８２】
基板収容部２３の上面側には、基板収容部２３と連続してハウジング側ハウジングの上面に開口した基板導入部２４が形成され、カード基板Ｂの裏面と基板収容部２３の内底面とが互いに対向し、且つ前面開口よりカード基板の後端側が導出される向きで上面側よりカード基板Ｂの先端部を基板収容部２３に導入することができるようになっている。
【００８３】
底板部２０は、平板状に形成され、前後方向に向けた接触部逃げ溝２５，２５...が横方向に間隔をおいて複数形成されている。
【００８４】
後壁部２２は、底板部２０の後縁より上向きに立ち上げた形状に形成され、前面側には、コンタクト７１の固定部７２が収容される上下方向に向けた複数のコンタクト収容溝２７が横方向に間隔を隔てて並べて形成され、後壁部２２の上面部には、前記コンタクト収容溝２７の連続配置にコンタクト挿通溝２８が形成されている。
【００８５】
また、後壁部２２の後背面には、コンタクト挿通溝２８と連続配置に上下方向に向けた逃げ溝２９，２９...が形成されており、コンタクトの弾性連結片部７４がこの逃げ溝３０，３０...に逃げ込み両ハウジング部材７０，７０間に挟まれて潰されないようになっている。
【００８６】
側壁部２１，２１は、それぞれ底板部２０の側縁より上向きに立ち上げた形状に形成され、後壁部２２とともに上面視コ字状をなしている。
【００８７】
また、側壁部２１の前面開口縁部には、カード基板の前後方向の移動を規制する抜け止め規制部が設けられている。尚、符合３３は抜け止め規制部を構成する突条部である。
【００８８】
この突条部３３は、内側に向けた凸が上下方向に連続した形状に形成され、カード基板の側縁に形成された係合凹部３４と互いに係合して前後方向の移動を規制するとともに、カード基板導入時にはガイドとして機能するようになっている。
【００８９】
更に、側壁部２１の内側部には、ロック部材３５を収容するロック部材収容部３６が形成されている。
【００９０】
ロック部材収容部３６は、上面及び内側が開口した凹溝状に形成され、下部には、側壁部２１の内外側面を貫通した回避孔３７が形成されている。
【００９１】
ロック部材３５は、基板収容部２３内に突出し、カード基板Ｂの表裏方向、即ち上下方向の移動を規制し、カード基板Ｂが基板収容部２３より抜け出すのを防止するようになっている。
【００９２】
ロック部材３５は、固定部３８、弾性支持部３９及び係止部４０を備えて構成され、金属板材を打ち抜き・折り曲げ加工することにより一体に形成されている。
【００９３】
固定部３８は、平板状に形成され、その両側部がロック部材収容部３６の内側縁に形成された圧入溝４１に圧入され、両側部下縁と圧入溝底部とを係止させることにより側壁部２１に固定される。
【００９４】
また、固定部３８には、背面側に突出した抜け止め係止片４２が形成され、この抜け止め係止片４２が側壁部２１に形成された係止凹部４３と互いに係合することにより固定部３８を側壁部２１に係止させる。
【００９５】
尚、抜け止め係止片４２は、下端を残して係止片を構成する部分の外形に沿って固定部３８に切れ目を入れて切り出し、先端側を外側に起こすことにより形成されている。
【００９６】
弾性支持部３９は、固定部３８の上縁より半弧状に折り曲げた形状に形成され、先端側に係止部４０が支持されている。
【００９７】
係止部４０は、弾性支持部３９の先端より斜め下向きに延長された形状の張り出し部４４と、張り出し部４４の下縁より水平方向外向き（固定部３８側向き）に折り曲げた形状の押さえ部４５と、押さえ部４５の他端より下向きに折り曲げた形状の側縁当接部４６とをもって構成されている。
【００９８】
このロック部材３５は、カード基板Ｂを上面の基板導入部２４より基板収容部２３内に導入する際に、カード基板の下面で張り出し部４４表面が押圧されて弾性支持部３９を基端として外向きに押し遣られて回避孔３７に回避し、カード基板Ｂが所定位置まで嵌め込まれると弾性支持部３９のバネ性により基板収容部２３の内側面に突出し、押さえ部４５がカード基板の表面に係合される。
【００９９】
コンタクトは、図１４に示すように、導電性金属板材を打ち抜き・折り曲げ加工することにより一体に形成されており、各ハウジング部材に固定される一対の固定片部７２、７２と、両固定片部７２、７２間を連結する弾性連結片部７３とを備えている。
【０１００】
各固定片部７２は、矩形状に形成され、その側部がコンタクト保持溝２７内縁に形成された圧入溝５２に圧入され、該側部下縁が圧入溝内底面と互いに係合することによりハウジング部材７０に固定される。
【０１０１】
この固定片部７２の下縁には、それぞれ弾性接触部７４が支持されており、固定片部７２を介して弾性接触部７４がハウジング部材７０に支持されるようになっている。
【０１０２】
尚、弾性接触部７４は、カード基板Ｂの端子部５７に弾性的に接触し、端子部５７に電気的に接続されるようになっており、基板接続部としても機能する。
【０１０３】
弾性接触部７４は、固定片部７２の下縁より外側に折り曲げた形状の前向き延長部７５と、前向き延長部７５の先端よりやや斜め下向きに延長された弾性支持部７６と、弾性支持部７６の下縁より斜め上向きに折り曲げた形状の弾性接触片７７とをもって構成され、弾性支持片７６と弾性接触片７７とが一体にバネ性を発揮し、カード基板Ｂの端子部５７に対し弾性的に接触できるようになっている。
【０１０４】
弾性接触片７７は、その先端部に接点部７７ａが形成され、固定部７２を介してハウジング部材に支持された際に基板収容部２３の底面より斜め上向きに立ち上げて配置され、カード基板Ｂの下面に配置された端子部５７に接点部７７ａが弾性的に接触する。
【０１０５】
弾性連結片部７３は、固定片部７２の上縁より互いに向けて水平方向に折り曲げた形状の両連結片７９，７９を弾性部８０で連結した構成となっている。
【０１０６】
この弾性部８０は、両連結片７９，７９よりそれぞれ斜め下向きに延長してＶ字状に形成され、Ｖ字状部分が両ハウジング部材の後壁部２２，２２間に配置され、両ハウジング部材７０，７０間の相対移動に応じて弾性変形できるようになっている。
【０１０７】
このように構成されたフローティング機構付きコネクタは、基板導入部２４，２４を上に向け、各カード基板Ｂ，Ｂの端部をハウジング部材７０の上側から基板導入部２４を通して基板収容部２３に収容させることにより、容易に両ハウジング部材７０，７０にカード基板Ｂ，Ｂをそれぞれ保持させることができる。
【０１０８】
また、両ハウジング部材７０，７０は、カード基板Ｂ，Ｂをそれぞれ保持させた状態で互いに相対移動でき、当該相対移動に応じてコンタクト７１，７１...の弾性連結片部７３が弾性変形するので、コンタクト７１，７１...を介して両カード基板を電気的に接続されるとともに、両カード基板Ｂ，Ｂの温度変化による膨張又は収縮等による誤差変位を吸収することができるようになっている。
【０１０９】
尚、上述の実施例では、基板導入部２４を上に向けて接続するようにしたが、下向きにして使用してもよい。
【符号の説明】
【０１１０】
Ａ  プリント基板
Ｂ  カード基板
２  コンタクト
３  支持部材
４  ハウジング部材
５  後側壁部
６  側壁部
７  支持部材側固定片部
８  コンタクト収容溝
９  コンタクト挿通溝
１０  ホールドダウン
１１  ホールドダウン収容部
１２  圧入溝
１３  固定用パターン
１４  スライド支持部材
１５  スライド凹部
２０  底板部
２１  側壁部
２２  後壁部
２３  基板収容部
２４  基板導入部
２５  接触部逃げ溝
２６  ハウジング側固定片部
２７  コンタクト収容溝
２８  コンタクト挿通溝
２９  当て止め凸部
３０  逃げ溝
３１  弾性連結片部
３２  支持用段部
３３  突条部
３４  係合凹部
３５  ロック部材
３６  ロック部材収容部
３７  回避孔
３８  固定部
３９  弾性支持部
４０  係止部
４１  圧入溝
４２  抜け止め係止片
４３  係止凹部
４４  張り出し部
４５  押さえ部
４６  側縁当接部
５２  圧入溝
５３  弾性接触部
５４  前向き延長部
５５  弾性支持片
５６  弾性接触片
５７  端子部
５８  圧入溝
５９  基板接続部
６０  接続パターン
６１  支持部材側連結片
６２  ハウジング側連結片
６３  弾性部
７０  ハウジング部材
７１  コンタクト
７２  固定片部
７３  弾性連結片部
７４  弾性接触部
７５  前向き延長部
７６  弾性支持片
７７  弾性接触片
７９  連結片
８０  弾性部
【図１】
2012059654.tif 000003
【図２】
2012059654.tif 000004
【図３】
2012059654.tif 000005
【図４】
2012059654.tif 000006
【図５】
2012059654.tif 000007
【図６】
2012059654.tif 000008
【図７】
2012059654.tif 000009
【図８】
2012059654.tif 000010
【図９】
2012059654.tif 000011
【図１０】
2012059654.tif 000012
【図１１】
2012059654.tif 000013
【図１２】
2012059654.tif 000014
【図１３】
2012059654.tif 000015
【図１４】
2012059654.tif 000016